【手続補正書】
【提出日】平成25年11月28日(2013.11.28)
【手続補正１】
【補正対象書類名】明細書
【補正対象項目名】００１６
【補正方法】変更
【補正の内容】
【００１６】
ワイヤレス通信のためのコンピュータプログラム製品が、複数のコンポーネントキャリアについてのダウンリンクデータに関連する肯定応答／否定応答（ＡＣＫ／ＮＡＣＫ）フィードバックを決定するためのコードと、肯定のスケジューリング要求（ＳＲ）が存在すると決定すると、１つまたは複数の利用可能なＳＲリソースを選択するためのコードと、ＡＣＫ／ＮＡＣＫフィードバックをバンドルするためのコードと、１つまたは複数の選択されたＳＲリソースを使用して複数のコンポーネントキャリアについてのバンドルされたＡＣＫ／ＮＡＣＫフィードバックを送信するためのコードとを含む非一時的コンピュータ可読媒体を備え得る。ＡＣＫ／ＮＡＣＫフィードバックをバンドルするためのコードは、各コンポーネントキャリアについてのＡＣＫ／ＮＡＣＫフィードバック値を決定するためのコードと、コンポーネントキャリアにわたってＡＣＫの数をアグリゲートするためのコードとを含み得る。ＡＣＫ／ＮＡＣＫフィードバックをバンドルするためのコードは、各コンポーネントキャリアについてのＡＣＫ／ＮＡＣＫフィードバック値を決定するためのコードと、ＡＣＫインスタンスの総数を決定するためのコードと、第１の数のＡＣＫを、１つまたは複数のＳＲリソースに関連する第１のビット値にマッピングし、残りの数のＡＣＫを、１つまたは複数のＳＲリソースに関連する第２のビット値にマッピングするためのコードとを含み得る。第１の数のＡＣＫは、複数のコンポーネントキャリアの第１のサブセット中のＡＣＫに対応し得るものであり、残りの数のＡＣＫは、複数のコンポーネントキャリアの残部に対応し得るものである。複数のコンポーネントキャリアは、第１および第２のダウンリンクコンポーネントキャリアを含み得るものであり、ＡＣＫ／ＮＡＣＫフィードバックをバンドルするためのコードは、第１および第２のコンポーネントキャリアの各々についてのＡＣＫ／ＮＡＣＫフィードバック値を決定するためのコードと、第１のコンポーネントキャリアについてのＡＣＫ／ＮＡＣＫフィードバックを、１つまたは複数のＳＲリソースに関連する第１のビット値にマッピングし、第２のコンポーネントキャリアについてのＡＣＫ／ＮＡＣＫフィードバックを、１つまたは複数のＳＲリソースに関連する第２のビット値にマッピングするためのコードとを含み得る。ＡＣＫ／ＮＡＣＫフィードバックをバンドルするためのコードは、各コンポーネントキャリアについてのＡＣＫ／ＮＡＣＫフィードバック値を決定するためのコードと、コンポーネントキャリアのうちの１つまたは複数の２つ以上のサブフレームについてのＡＣＫ／ＮＡＣＫフィードバックを空間的にバンドルするためのコードとを含み得る。ＡＣＫ／ＮＡＣＫフィードバックをバンドルするためのコードは、ＡＣＫインスタンスの総数を決定するためのコードと、第１の数のＡＣＫを、１つまたは複数のＳＲリソースに関連する第１のビット値にマッピングし、残りの数のＡＣＫを、１つまたは複数のＳＲリソースに関連する第２のビット値にマッピングするためのコードとを含み得る。
【手続補正２】
【補正対象書類名】明細書
【補正対象項目名】００３８
【補正方法】変更
【補正の内容】
【００３８】
送信プロセッサ２２０は、また、プロセッサ２４０、スケジューラ２４２、メモリ２４４、および／またはアップリンク制御シグナリングモジュール２４６から制御情報を受信し得る。スケジューラ２４２は、設定されたキャリアのサブセット上でユーザ機器１１０−ａをスケジュールすることができる。制御情報は、ダウンリンクＣＣモードを識別し、アップリンクキャリア上でのフィードバック送信をスケジュールし、特定のユーザ機器１１０−ａのために使用されるべきバンドリングスキームを識別することができる。送信プロセッサ２２０は、データ、フィードバック情報、および制御情報を処理（たとえば、符号化およびシンボルマッピング）して、それぞれデータシンボルおよび制御シンボルを取得し得る。送信プロセッサ２２０は、また、リファレンスシンボルおよびセル固有リファレンス信号を生成し得る。送信（ＴＸ）多入力多出力（ＭＩＭＯ）プロセッサ２３０は、適用可能な場合、データシンボル、制御シンボル、および／またはリファレンスシンボルに対して空間処理（たとえば、プリコーディング）を実施することができ、出力シンボルストリームを送信変調器２３２−ａ〜２３２−ｘに与えることができる。各変調器２３２は、（たとえば、ＯＦＤＭなどのために）それぞれの出力シンボルストリームを処理して出力サンプルストリームを取得することができる。各変調器２３２はさらに、出力サンプルストリームを処理（たとえば、アナログへの変換、増幅、フィルタ処理、およびアップコンバート）して、ダウンリンク信号を取得することができる。変調器２３２−ａ〜２３２−ｘからのダウンリンク信号は、それぞれ、アンテナ２３４−ａ〜２３４−ｘを介して送信され得る。
【手続補正３】
【補正対象書類名】明細書
【補正対象項目名】００５５
【補正方法】変更
【補正の内容】
【００５５】
さらに別の例では、コンポーネントキャリアまたは特定のサブフレームの数にかかわらず、第１の数のＡＣＫ／ＮＡＣＫフィードバックは、第１のビットｂ（０）にマッピングされ、残りのＡＣＫ／ＮＡＣＫフィードバックは、第２のビットｂ（１）にマッピングされる。次いで、両方のビットは、ＰＵＣＣＨフォーマット１ｂを用いてＳＲリソース上で送信される。一例では、ＡＣＫ／ＮＡＣＫフィードバックの１番目の半分は、ｂ（０）にマッピングされ、ＡＣＫ／ＮＡＣＫフィードバックの２番目の半分はｂ（１）にマッピングされる。様々な状況において上述のＡＣＫ／ＮＡＣＫバンドリング方法の組合せが実施され得ることに留意されたい。たとえば、ＦＤＤモードの２つのコンポーネントキャリアを備えたシステムでは、表２に関して説明した方法が利用され得る。同様に、ＴＤＤモードで動作する２コンポーネントキャリアシステムでは、各コンポーネントキャリアについての空間バンドリングが実行されることができ、その後にクロスコンポーネントキャリアバンドリングおよび時間領域バンドリング操作の一方または両方が続く。別の例では、ＦＤＤモードまたはＴＤＤモードの２つよりも多くのコンポーネントキャリアを備えたシステムでは、表１に関して説明した方法が用いられることができる。したがって、特定のバンドリング技法は、特定のシステム構成に基づいて適応され、組み合わされることができ、（１つまたは複数の）バンドリング技法は、たとえば、図２のアップリンク制御シグナリングモジュール２４６によって決定されることができる。
【手続補正４】
【補正対象書類名】明細書
【補正対象項目名】００６５
【補正方法】変更
【補正の内容】
【００６５】
（１つまたは複数の）プロセッサモジュール５２５は、たとえば、ＱＵＡＬＣＯＭＭ  Ｉｎｃｏｒｐｏｒａｔｅｄ、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）など、インテリジェントハードウェアデバイスを含み得る。メモリ５３５は、ランダムアクセスメモリ（ＲＡＭ）および読取り専用メモリ（ＲＯＭ）を含み得る。メモリ５３５は、実行されたときに（またはコンパイルされて実行されたときに）プロセッサモジュール５２５に本明細書で説明する様々な機能（たとえば、フィードバックバンドリングスキーム識別、ダウンリンク送信モード識別など）を実行させるように構成された命令を含む、コンピュータ読取可能なコンピュータ実行可能ソフトウェアコード５４０を記憶することができる。
【手続補正５】
【補正対象書類名】明細書
【補正対象項目名】００６８
【補正方法】変更
【補正の内容】
【００６８】
（１つまたは複数の）送信機モジュール６１５は、上記で説明したように、１つまたは複数のアップリンクＣＣにわたって基地局１０５−ｄ（および／または他の基地局）に送信することができる。（１つまたは複数の）受信機モジュール６１０は、上記で説明したように、２つ以上のダウンリンクＣＣにわたって基地局１０５−ｄ（および／または他の基地局）からダウンリンク送信を受信することができる。ダウンリンク送信は、ユーザ機器１１０−ｄにおいて受信され、処理される。ＡＣＫ／ＮＡＣＫフィードバックモジュール６４０は、上記で説明したように、ＡＣＫ／ＮＡＣＫフィードバックをフォーマットし送信する際に使用されるべきフィードバックバンドリングスキームを識別することができる。ＡＣＫ／ＮＡＣＫフィードバックモジュール６４０は、複数のダウンリンクＣＣにわたって受信された（または受信されていない）通信についてＡＣＫ／ＮＡＣＫフィードバック値を決定することができる。スケジューリング要求モジュール６４５は、肯定ＳＲが存在するかどうかを判定し、この情報を（１つまたは複数の）プロセッサモジュール６２５に提供することができる。スケジューリング要求モジュール６４５はまた、ユーザ機器１１０−ｄにとって利用可能なＳＲリソースを確認するように構成される。いくつかの例では、ＳＲモジュール６４５は、特定の制御情報フォーマットを使用して基地局１０５−ｄにシグナリングされる有効ビット数を増加させるために、ユーザ機器１１０−ｄによる使用のために構成されたＳＲリソースのセットからＳＲリソースを選択する。たとえば、ＳＲモジュール６４５は、４つの構成されたＳＲリソースからのその選択によって２つの追加のビットを示し得る。したがって、ＰＵＣＣＨフォーマット１ｂでは、追加のＳＲリソースがユーザ機器１１０−ｄのために構成されたときには、４ビットのＡＣＫ／ＮＡＣＫフィードバックが提供されることができる。
【手続補正６】
【補正対象書類名】図面
【補正対象項目名】図２
【補正方法】変更
【補正の内容】
【図２】
2013541924.tif 000001